(57)【要約】【課題】代替局検査における音声出力のミュートを短縮または省略することができる放送受信装置を提供する。【解決手段】ＡＦチェック機能で代替局の周波数に切り替えられたときに、放送を受信して放送音声が出力されるまでの遅延時間分ミュートを開始する時間を遅らせ、チェックの時間が遅延時間以下の場合はミュートを行わず、チェックの時間が遅延時間より長い場合には、遅延時間が経過してチェックが終了するまでの間にミュートを行う。【選択図】図１
2015053538.tif 000002
【特許請求の範囲】
【請求項１】
放送局の放送受信を一時的に中断し、同一放送内容の代替局の周波数に切り替えて受信状態をチェックするＡＦチェック機能を有した放送受信装置であって、
放送音声の出力をミュートするミュート処理部と、
前記ミュート処理部を制御する制御部とを備え、
前記制御部は、前記ＡＦチェック機能で前記代替局の周波数に切り替えられたときに、前記ミュート処理部を制御して、放送を受信して放送音声が出力されるまでの遅延時間分ミュート開始時間を遅らせ、前記チェックの時間が前記遅延時間以下の場合はミュートを行わず、前記チェックの時間が前記遅延時間より長い場合には、前記遅延時間が経過して前記チェックが終了するまでの間にミュートを行うことを特徴とする放送受信装置。
【請求項２】
受信する放送は、ＲＤＳ（Ｒａｄｉｏ  Ｄａｔａ  Ｓｙｓｔｅｍ）に従いＲＤＳデータが多重された放送であることを特徴とする請求項１記載の放送受信装置。
【請求項３】
前記遅延時間は、前記放送受信装置が備えるＤＳＰ（Ｄｉｇｉｔａｌ  Ｓｉｇｎａｌ  Ｐｒｏｃｅｓｓｏｒ）が放送音声を処理して出力するまでの時間で規定される遅延時間であることを特徴とする請求項１または請求項２記載の放送受信装置。
【発明の詳細な説明】
【技術分野】
【０００１】
この発明は、受信中の放送と同一内容の代替局の受信状態をチェックする機能を有した放送受信装置に関する。
【背景技術】
【０００２】
従来のＲＤＳ（Ｒａｄｉｏ  Ｄａｔａ  Ｓｙｓｔｅｍ）受信装置では、受信中の周波数の受信状態が悪化したときに受信状態のよい同一放送内容の代替局に切り替えるために、ＡＦ（Ａｌｔｅｒｎａｔｉｖｅ  Ｆｒｅｑｕｅｎｃｙ）リストにおける代替局の周波数（目標周波数）の受信状態をチェック（以下、ＡＦチェックと呼ぶ）している。
ただし、１つのチューナのみを搭載する放送受信装置でＡＦチェックを実施する場合、現在の放送の受信を一時的に中断し、この受信周波数からＡＦリストの目標周波数に切り替える必要がある。
【０００３】
ＡＦチェックにおいて、目標周波数の受信状態が悪い場合または目標周波数の放送局が同一放送内容でなかった場合、音質の悪い音声またはそれまでと異なる放送内容の音声が出力される可能性がある。
この不具合を回避するため、従来では、目標周波数を受信してＡＦチェックを開始した時点で放送音声の出力をミュートし、目標周波数の受信状態が良好で、かつそれまでと同一放送内容であることが確認された時点でミュートを解除している。
【０００４】
しかしながら、上述のように目標周波数を受信してＡＦチェックを開始した時点で放送音声のミュートを開始した場合、ＡＦチェックに要する時間によっては利用者に聴感上の違和感を与えるほどの音切れ（ボツ音）が発生してしまう。
これに対して、特許文献１に開示される受信装置では、受信環境（例えば、番組タイプ識別データ）に応じて、ミュートのレベルまたはミュート時間に関するパラメータを変更している。例えば、無音状態が目立つ音楽番組ではミュート時間を短くするなどして利用者に違和感を与えないようにしている。
【先行技術文献】
【特許文献】
【０００５】
【特許文献１】特開２００７−２５９３２４号公報
【発明の概要】
【発明が解決しようとする課題】
【０００６】
特許文献１に代表される従来の技術では、ＡＦチェックにおけるミュート処理に関するパラメータを番組タイプごとに用意する必要がある。
また、ＡＦチェックを実施する度に代替局の放送の番組タイプを解析し、これに応じたパラメータを設定してミュート処理を制御しなければならないため、処理が複雑になり、処理負荷も多大になるという課題があった。
【０００７】
この発明は、上記のような課題を解決するためになされたもので、代替局検査における音声出力のミュートを短縮または省略することができる放送受信装置を得ることを目的とする。
【課題を解決するための手段】
【０００８】
この発明に係る放送受信装置は、放送局の放送受信を一時的に中断し、同一放送内容の代替局の周波数に切り替えて受信状態をチェックするＡＦチェック機能を有した放送受信装置であって、放送音声の出力をミュートするミュート処理部と、ミュート処理部を制御する制御部とを備え、制御部は、ＡＦチェック機能で代替局の周波数に切り替えられたときに、ミュート処理部を制御して、放送を受信して放送音声が出力されるまでの遅延時間分ミュート開始時間を遅らせ、チェックの時間が遅延時間以下の場合はミュートを行わず、チェックの時間が遅延時間より長い場合には、遅延時間が経過してチェックが終了するまでの間にミュートを行うことを特徴とする。
【発明の効果】
【０００９】
この発明によれば、代替局検査における音声出力のミュートを短縮または省略することができるという効果がある。
【図面の簡単な説明】
【００１０】
【図１】この発明の実施の形態１に係る放送受信装置の構成を示すブロック図である。
【図２】従来のＡＦチェンジにおける周波数切り替えのタイミングチャートである。
【図３】実施の形態１におけるＡＦチェンジにおける周波数切り替えのタイミングチャートである。
【図４】実施の形態１におけるＡＦチェンジ処理（ＡＦチェック時間が音声遅延時間以下である場合）のフローチャートである。
【図５】実施の形態１におけるＡＦチェンジ処理（ＡＦチェック時間が音声遅延時間より長い場合）のフローチャートである。
【発明を実施するための形態】
【００１１】
実施の形態１．
図１は、この発明の実施の形態１に係る放送受信装置の構成を示すブロック図である。図１に示す放送受信装置は、例えば、車両などの移動体に搭載されるＲＤＳ受信装置であり、アンテナ１、チューナ２、ＤＳＰ（Ｄｉｇｉｔａｌ  Ｓｉｇｎａｌ  Ｐｒｏｃｅｓｓｏｒ）３、ミュート回路４、スピーカ５、制御部６、ＲＤＳデコーダ７、表示部８および操作部９を備えて構成される。
【００１２】
チューナ２は、アンテナ１を経由して受信されたＲＤＳの放送波信号およびデータ信号から、所望の受信周波数の放送波信号およびデータ信号を選局する。チューナ２の受信周波数は、操作部９を用いて利用者によって選択される。操作部９で選択された受信周波数は、制御部６によってチューナ２に設定される。
また、チューナ２は、受信レベル（受信電界強度）を検出し、検出した受信レベルを示す受信レベル信号を制御部６に出力する。
【００１３】
ＤＳＰ３は、チューナ２によって選局された放送波の音声信号に対して音響特性などを調整するための各種のデジタル処理を行う演算処理部である。
また、ＤＳＰ３は、デジタル処理を実行した音声データをバッファ３ａに一時的に格納し、制御部６による制御に従った任意のタイミングでバッファから音声データを読み出してアナログ信号に変換し、ミュート回路４を経由してスピーカ５から出力している。
すなわち、ＤＳＰ３においては、放送音声が、その放送波が受信されてから、制御部６による出力制御に従った所定の遅延時間でスピーカ５から出力される。
【００１４】
ミュート回路４は、ＤＳＰ３から出力された音声をミュートするミュート処理部である。例えば、制御部６により指定されたミュート動作波形に従って放送音声の出力レベルを低減する。スピーカ５は、ミュート回路４を経由して入力した音声信号を音声出力する音声出力部である。
【００１５】
制御部６は、放送受信装置内の各構成の動作を制御する制御部である。例えば、ミュート回路４の動作を制御（ミュート制御）する。ここで、制御部６は、ミュート回路４を制御して、ＤＳＰ３による遅延時間（放送を受信して放送音声が出力されるまでの遅延時間）だけミュート開始時間を遅らせて、ＡＦチェックの時間が上記遅延時間以下の場合は、ミュートを行わず、ＡＦチェックの時間が遅延時間より長い場合には遅延時間が経過してＡＦチェックが終了するまでの間にミュートを行わせる。
【００１６】
ＲＤＳデコーダ７は、チューナ２により受信された放送に多重され、放送信号から抽出されたＲＤＳデータを入力し、このＲＤＳデータを復号するデコーダである。
ＲＤＳデコーダ７によって復号されたＲＤＳデータは、受信データとして制御部６に出力される。
【００１７】
表示部８は、制御部６から入力した表示情報を表示する表示部であって、例えば、液晶ディスプレイ、有機ＥＬ（Ｅｌｅｃｔｒｏ−Ｌｕｍｉｎｅｓｃｅｎｃｅ）パネルなどから構成される。また、表示部８は、制御部６の制御によって、操作部９を用いて操作情報（利用者が選択した受信周波数）を入力するためのＵＩ（Ｕｓｅｒ  Ｉｎｔｅｒｆａｃｅ）を提供する。利用者が選択して受信中の放送局の周波数は、表示部８に表示される。
操作部９は、利用者の操作入力を受け付ける操作部であり、例えば、表示部８の画面上に設けられたタッチパネル、ハードウェアキー、音声認識を利用する入力手段により実現される。
【００１８】
次に、ＡＦチェンジによる周波数切り替え処理について説明する。
図２は、従来のＡＦチェンジにおける周波数切り替えのタイミングチャートであって、８８．９ＭＨｚから１００．０ＭＨｚへ受信周波数を切り替える場合を示している。
受信中の放送（受信周波数；８８．９ＭＨｚ）の受信状態が許容範囲よりも悪くなったことが検知されると、あらかじめ取得されているＡＦリストに含まれる同一の放送内容の代替局（目標周波数；１００．０ＭＨｚ）へのＡＦチェンジ処理が開始される。
【００１９】
このとき、従来では、図２に示すように、受信周波数を切り替えるタイミングｔ１から音声のミュートを開始して、目標周波数の受信状態などのチェックが終了するタイミングｔ２でミュートを解除する。このため、ＡＦチェックにかかる時間（以下、ＡＦチェック時間と呼ぶ）Ｔ１と音声をミュートするミュート時間Ｔ２とがほぼ同じ時間となる。この時間には音声が出力されないことから、利用者に聴感上の違和感を与えるほどの音切れが発生する可能性がある。
【００２０】
図３は、実施の形態１におけるＡＦチェンジにおける周波数切り替えのタイミングチャートである。図２と同様に、受信周波数を８８．９ＭＨｚから１００．０ＭＨｚへ切り替える場合を示している。まず、ＤＳＰ３では、制御部６の出力制御によってバッファ３ａに一時的に格納された出力音声データを読み出すタイミングがあらかじめ決まっている。
これにより、放送受信装置が、放送を受信し、この放送の出力音声データをＤＳＰ３のバッファ３ａに一時的に記憶し、続いてバッファ３ａから読み出してスピーカ５から音声出力するまでに音声遅延時間Ｔ３だけ時間がかかる。
なお、音声遅延時間Ｔ３は、制御部６が実行する制御プログラムによって任意に設定可能である。また、音声遅延時間Ｔ３の最大設定可能時間は、バッファ３ａのバッファ容量に依存する。
【００２１】
この発明では、上記音声遅延時間Ｔ３を利用して、ミュート回路４によりＡＦチェックで音声のミュートを開始する時間を音声遅延時間Ｔ３分だけ遅らせる。すなわち、受信周波数を目標周波数に切り替えたタイミングｔ１では、音声がミュートされておらず、切り替え前の受信周波数である８８．９ＭＨｚの放送の音声が出力されている。
このとき、受信周波数自体は目標周波数である１００．０ＭＨｚに切り替えられているため、ＡＦチェックは、従来と同様にタイミングｔ１から開始されている。
【００２２】
図３に示すように、音声遅延時間Ｔ３がＡＦチェック時間Ｔ１よりも長い場合は、目標周波数の音声が出力されるタイミングｔ３は、チェックが終了するタイミングｔ２より後である。このため、音声がミュートされる時間がほぼゼロ（厳密には、受信周波数を切り替える一瞬のタイミングでは、音声をミュートする必要がある）となり、利用者に与える音切れ感を最小限に抑えることができる。
【００２３】
また、音声遅延時間Ｔ３がＡＦチェック時間Ｔ１以下の場合であっても、音声遅延時間Ｔ３だけミュートを開始するタイミングを遅らせることで、ＡＦチェック時間Ｔ１が経過するまでに行われるミュートの時間を短縮可能である。このため、利用者に与える音切れ感を軽減させることができる。
【００２４】
次に動作について説明する。
図４は、実施の形態１におけるＡＦチェンジ処理のフローチャートであり、図３のようにＡＦチェック時間Ｔ１が音声遅延時間Ｔ３以下の場合を示している。
制御部６は、音声遅延時間Ｔ３の終了タイミングを把握するために、ＡＦチェック時間Ｔ１のカウントを開始する（ステップＳＴ１）。このＡＦチェック時間Ｔ１のカウントが開始された時点で音声遅延時間Ｔ３のカウントも開始される。
なお、バッファ３ａから音声データを読み出すタイミング、すなわち音声遅延時間Ｔ３のうち、バッファ３ａに音声データを格納してから読み出しを行う時間はあらかじめＤＳＰ３に設定されているものとする。
【００２５】
制御部６は、チューナ２を制御して、ＡＦリストにある代替局の周波数（目標周波数）に受信周波数を切り替える（ステップＳＴ２）。
次に、制御部６は、目標周波数で受信された信号の受信レベル信号をチューナ２から入力し、この受信レベル信号に基づいて目標周波数の受信レベルをチェックする（ステップＳＴ３）。ここで、受信レベルが基準値以上であれば（ステップＳＴ４；ＹＥＳ）、ステップＳＴ５の処理に進み、受信レベルが基準値未満であれば（ステップＳＴ４；ＮＯ）、ステップＳＴ９に進む。
【００２６】
ステップＳＴ５において、制御部６は、メモリに保存していた受信実績データのうち、目標周波数で同一放送内容を放送している受信実績データがあるか否かを判定する。
ここで、受信実績データとは、過去のＡＦチェックで特定された目標周波数とこの周波数における放送内容を対応付けたデータである。制御部６は、ＡＦチェックを行うごとに受信実績データを作成し、メモリに蓄積する。なお、図１では、このメモリの記載を省略しているが、制御部６が読み書き可能なメモリであればよい。
【００２７】
受信実績データがない場合（ステップＳＴ５；ＮＯ）、制御部６は、目標周波数で受信されたＲＤＳデータをＲＤＳデコーダ７から入力し（ステップＳＴ６）、目標周波数の局が、それまで受信していた放送（ＡＦチェック前に受信していた放送）と同一放送内容であるか否かを確認する（ステップＳＴ７）。
なお、ＲＤＳデータには、番組タイプを示す番組識別データや、同一の放送内容を放送しているネットワーク局（系列局）の周波数リスト（ＡＦリスト）を示すＡＦデータが含まれており、これらのデータを用いて同一放送内容であるか否かの確認を容易に行うことができる。
【００２８】
目標周波数で同一放送内容であった受信実績データがある場合（ステップＳＴ５；ＹＥＳ）、もしくは、目標周波数の放送が同一放送内容であると確認された場合（ステップＳＴ７；ＹＥＳ）、制御部６は、ＡＦチェック時間のカウントを終了する（ステップＳＴ８）。ＡＦチェックが終了し、それまで受信していた放送と同一の放送内容の代替局が特定され（ＡＦチェック完了）、この代替局に自動で切り替わる。
なお、このＡＦチェックに要したＡＦチェック時間Ｔ１は音声遅延時間Ｔ３以下であるので、図３に示したように、ステップＳＴ８の処理が完了してＡＦチェックが終了するまでミュートが実行されず、ＡＦチェックにおける音声ミュートを省略することができる。
【００２９】
受信レベルが基準値未満であるか（ステップＳＴ４；ＮＯ）、もしくは、目標周波数の放送が同一放送内容ではないと確認された場合（ステップＳＴ７；ＮＯ）、制御部６は、それまで受信していた放送が十分に受信可能であるか、目標周波数の放送では代替できないと判断し、チューナ２を制御して受信周波数を元に戻す（ステップＳＴ９）。
この後、制御部６は、ＡＦチェック時間Ｔ１のカウントを終了する（ステップＳＴ１０）。ここでは、ＡＦチェック時間Ｔ１は音声遅延時間Ｔ３以下であるので、それまで受信していた放送の音声が、音声遅延時間Ｔ３の経過後も引き続き出力されることになる。
これにより、ＡＦチェックは終了するが、代替局が特定できなかったため（ＡＦチェンジ未完了）、それまで受信していた放送が引き続き受信される。
【００３０】
図５は、実施の形態１におけるＡＦチェンジ処理のフローチャートであり、ＡＦチェック時間Ｔ１が音声遅延時間Ｔ３より長い場合を示している。
制御部６は、音声遅延時間Ｔ３の終了タイミングを把握するために、ＡＦチェック時間Ｔ１のカウントを開始する（ステップＳＴ１ａ）。このＡＦチェック時間Ｔ１のカウントが開始された時点で音声遅延時間Ｔ３のカウントも開始される。
制御部６は、チューナ２を制御して、ＡＦリストにある代替局の周波数（目標周波数）に受信周波数を切り替える（ステップＳＴ２ａ）。
次に、制御部６は、目標周波数で受信された信号の受信レベル信号をチューナ２から入力し、この受信レベル信号に基づいて目標周波数の受信レベルをチェックする（ステップＳＴ３ａ）。
【００３１】
なお、制御部６は、ステップＳＴ１ａにおけるＡＦチェック時間Ｔ１のカウントを常に（定期的に）行っており、ＡＦチェック時間のカウントを開始してから音声遅延時間Ｔ３に到達する直前で、ミュート回路４を制御して出力音声をミュート（ミュートオン）する（ステップＳＴ４ａ）。
この後、受信レベルが基準値以上である場合（ステップＳＴ５ａ；ＹＥＳ）、制御部６は、メモリに保存していた受信実績データのうち、目標周波数で同一放送内容を放送している受信実績データがあるか否かを判定する（ステップＳＴ６ａ）。
【００３２】
受信実績データがない場合（ステップＳＴ６ａ；ＮＯ）、制御部６は、目標周波数で受信されたＲＤＳデータをＲＤＳデコーダ７から入力し（ステップＳＴ７ａ）、目標周波数の局が、それまで受信していた放送と同一放送内容であるか否かを確認する（ステップＳＴ８ａ）。目標周波数の放送が同一放送内容であると確認された場合（ステップＳＴ８ａ；ＹＥＳ）、制御部６は、ミュート回路４を制御して出力音声のミュートを解除する（ステップＳＴ９ａ）。
【００３３】
この後、制御部６は、ＡＦチェック時間のカウントを終了する（ステップＳＴ１０ａ）。これにより、ＡＦチェックが終了し、それまで受信していた放送と同一の放送内容の代替局が特定され（ＡＦチェック完了）、この代替局に自動で切り替わる。
なお、このＡＦチェックに要したＡＦチェック時間Ｔ１は音声遅延時間Ｔ３よりも長いので、ステップＳＴ４ａの時点でミュートが開始されたが、ステップＳＴ４ａに至るまでミュートが実行されず、それまで受信していた放送の音声が出力されて、ミュート時間が短縮されている。
【００３４】
受信レベルが基準値未満であるか（ステップＳＴ５ａ；ＮＯ）、もしくは、目標周波数の放送が同一放送内容ではないと確認された場合（ステップＳＴ８ａ；ＮＯ）、制御部６は、それまで受信していた放送が十分に受信可能であるか、目標周波数の放送では代替できないと判断し、チューナ２を制御して受信周波数を元に戻す（ステップＳＴ１１ａ）。
この後、直ちに、制御部６は、ミュート回路４を制御して出力音声のミュートを解除する（ステップＳＴ１２ａ）。
【００３５】
続いて、制御部６は、ＡＦチェック時間のカウントを終了する（ステップＳＴ１３ａ）。これにより、ＡＦチェックは終了するが、代替局が特定できなかったため（ＡＦチェンジ未完了）、それまで受信していた放送が引き続き受信される。
なお、この場合も、ステップＳＴ４ａの時点でミュートが開始されたが、ステップＳＴ４ａに至るまでミュートが実行されず、それまで受信していた放送の音声が出力される。従って、ミュート時間は短縮される。
【００３６】
以上のように、この実施の形態１によれば、放送音声の出力をミュートするミュート回路４と、ミュート回路４を制御する制御部６とを備え、制御部６が、ＡＦチェック機能で代替局の周波数に切り替えられたときに、ミュート回路４を制御して、放送を受信して放送音声が出力されるまでの遅延時間分ミュートを開始する時間を遅らせ、チェックの時間が遅延時間以下の場合はミュートを行わず、チェックの時間が遅延時間よりも長い場合には、遅延時間が経過してチェックが終了するまでの間にミュートを行う。
このように構成することで、代替局検査における音声出力のミュートを短縮または省略することができる。これにより、利用者に聴感上の違和感を与える音切れを軽減することが可能である。
また、特許文献１のように、ＡＦチェックにおけるミュート処理に関するパラメータを番組タイプごとに用意する必要がなく、さらにＡＦチェックを実施する度に代替局の放送の番組タイプを解析し、これに応じたパラメータを設定してミュート処理を制御する必要もない。このため、特許文献１の放送受信装置における上記課題が生じることがない。
【００３７】
また、この実施の形態１によれば、受信する放送は、ＲＤＳの規格に従いＲＤＳデータが付加された放送であるので、ＲＤＳデータを用いて同一放送内容の代替局を容易にチェックすることができる。
なお、この発明は、ＲＤＳ受信装置に限定されるものではない。すなわち、同一の放送内容を放送している代替局の周波数リストを提供する放送システムであれば、ラジオ放送のみならず、テレビ放送にも適用可能である。
【００３８】
さらに、この実施の形態１によれば、音声遅延時間Ｔ３が、放送受信装置が備えるＤＳＰ３が放送音声を処理して出力するまでの時間で規定される遅延時間である。
これにより、放送受信装置が通常備えるＤＳＰ３を利用して遅延時間を設定することができるため、この発明を適用するために専用のハードウェアを追加する必要がない。
【００３９】
なお、本発明はその発明の範囲内において、実施の形態の任意の構成要素の変形、もしくは実施の形態の任意の構成要素の省略が可能である。
【符号の説明】
【００４０】
１  アンテナ、２  チューナ、３  ＤＳＰ、３ａ  バッファ、４  ミュート回路、５  スピーカ、６  制御部、７  ＲＤＳデコーダ、８  表示部、９  操作部。
【図１】
2015053538.tif 000003
【図２】
2015053538.tif 000004
【図３】
2015053538.tif 000005
【図４】
2015053538.tif 000006
【図５】
2015053538.tif 000007